(57)【要約】本発明は、第１の基地局（１）から第２の基地局（２）に、移動局（１００）のワイヤレス多地点協調（ＣｏＭＰ）伝送ネットワーク（２００；７００）においてハンドオーバ手順を実行する方法に関し、第１の基地局は、基地局の第１のグループ（２０２）を調整し、第１の基地局は、第１のグループのメンバであり、第２の基地局は、基地局の第２のグループ（２０４）を調整し、第２の基地局は、第２のグループのメンバであり、ネットワーク・コンポーネント（１０２）は、第１の基地局および基地局の第１のグループならびに／または第２の基地局および基地局の第２のグループにデータを伝送するように適応される。
2013514693.tif 000002
【特許請求の範囲】
【請求項１】
第１の基地局（１）から第２の基地局（２）に、移動局（１００）のワイヤレス多地点協調（ＣｏＭＰ）伝送ネットワーク（２００；７００）においてハンドオーバ手順を実行する方法であって、前記第１の基地局は、基地局の第１のグループ（２０２）を調整し、前記第１の基地局は、前記第１のグループのメンバであり、前記第２の基地局は、基地局の第２のグループ（２０４）を調整し、前記第２の基地局は、前記第２のグループのメンバであり、ネットワーク・コンポーネント（１０２）は、前記第１の基地局および基地局の前記第１のグループおよび／または前記第２の基地局および基地局の前記第２のグループにデータを伝送するように適応され、
チャネル品質情報（６００；６０６）に基づいて前記第１の基地局において前記移動局の位置を推定するステップ（６１０）であって、前記チャネル品質情報は、前記移動局と前記第１のグループとの間の接続の情報および／または前記移動局と前記第２のグループとの間の接続の情報である、ステップと、
チャネル品質情報の前記比較に基づいて、前記第１の基地局から前記第２の基地局に第１の信号（６１２）を送信するステップであって、前記第１の信号は、前記ハンドオーバ手順の要求を示す、ステップと、
前記第２の基地局から前記ネットワーク・コンポーネントに第２の信号（６１４）を送信するステップであって、前記第２の信号は、前記ハンドオーバ手順の開始を示す、ステップと、
前記移動局から前記第２の基地局および前記第２のグループにデータを伝送するステップと
を含む方法。
【請求項２】
前記第２の基地局に第４の信号（６０２）を送信するステップをさらに含み、前記第４の信号は、チャネル品質レポートの要求を示す請求項１に記載の方法。
【請求項３】
第１のチャネル品質情報（６００）は、前記移動局から前記第１の基地局に伝送され、第２のチャネル品質情報（６０６）は、前記第２の基地局から前記第１の基地局に伝送される請求項１または２のいずれか１項に記載の方法。
【請求項４】
前記第１のチャネル品質情報は、前記移動局と前記第１の基地局との間の第１の接続品質に関する情報を含み、前記第２のチャネル品質情報は、前記移動局と前記第２の基地局との間の第２の接続品質に関する情報を含む請求項３に記載の方法。
【請求項５】
前記第１のチャネル品質情報は、前記移動局と前記第２の基地局との間の前記第２の接続品質に関する情報を含み、前記第２のチャネル品質情報は、前記移動局と前記第１の基地局との間の前記第１の接続品質に関する情報を含む請求項４に記載の方法。
【請求項６】
前記移動局と前記第２の基地局との間の前記接続の前記第２の接続品質が、第１のしきい値を上回るときに、前記ハンドオーバ手順が開始される請求項４または５のいずれか１項に記載の方法。
【請求項７】
前記移動局と前記第１の局との間の前記接続の前記第１の接続品質が、第２のしきい値を下回るときに、前記ハンドオーバ手順が開始される請求項４乃至６のいずれか１項に記載の方法。
【請求項８】
前記第１の基地局は前記第２のグループのメンバでもあり、前記第２の基地局は前記第１のグループのメンバでもある請求項１乃至７のいずれか１項に記載の方法。
【請求項９】
前記ネットワーク・コンポーネントから前記第１の基地局に第３の信号（６１６）を、また前記ネットワーク・コンポーネントから前記第２の基地局に第４の信号（６１８）を送信するステップをさらに含み、前記第３の信号および前記第４の信号は、前記ハンドオーバ手順の開始を示す請求項１乃至８のいずれか１項に記載の方法。
【請求項１０】
基地局によって実行されたときに、前記基地局に、請求項１乃至９のいずれか１項に記載の方法を実行させる命令を含むコンピュータ可読記憶媒体。
【請求項１１】
基地局のグループを調整するための手段と、
チャネル品質情報（６００；６０６）に基づいて移動局（１００）の位置を推定するための手段（７１６）であって、前記チャネル品質情報は、前記移動局と前記第１のグループとの間の接続の情報および／または前記移動局と基地局の第２のグループとの間の接続の情報である、手段と、
第２の基地局（１０４）に第１の信号を送信するための手段（７０４）であって、前記第１の信号は、チャネル品質情報の前記比較に基づいて前記ハンドオーバ手順の要求を示し、前記第２の基地局は、基地局の前記第２のグループを調整するために適応される、手段と、
ネットワーク・コンポーネント（１０２）に第２の信号を送信するための手段（７１８）であって、前記第２の信号は、前記ハンドオーバ手順の開始を示す、手段と、
前記第２の基地局にデータを伝送するための手段（７０４）と
を含むワイヤレス多地点協調ネットワーク向けの基地局装置（７０２）。
【請求項１２】
請求項１１に記載の複数の基地局を含む通信システム（７００）。
【発明の詳細な説明】
【技術分野】
【０００１】
本発明は、ワイヤレス多地点協調（ＣｏＭＰ）伝送ネットワークにおいてハンドオーバ手順を実行するための方法に関する。
【背景技術】
【０００２】
一般的な無線通信システムでは、移動局がネットワークのあるセルからネットワークの他のセルに移動するときに、ハンドオーバ手順が実行される。移動局の接続は、常に１つの基地局によってのみ制御される。移動局は、この基地局から接続データを受信する。
【０００３】
多地点協調ネットワークでは、複数の基地局が情報を整然と移動局に送信する。一般的なハンドオーバ機構は、ＣｏＭＰネットワークには適用されない。
【０００４】
３ＧＰＰ  ＴＳ３６．３００バージョン８．９．０リリース８は、Ｅ−ＵＴＲＡＮ無線インタフェース・プロトコル・アーキテクチャの概要および全体的な記述を開示している。移動局のＩｎｔｒａ−Ｅ−ＵＴＲＡＮアクセス・モビリティ・サポート（Ａｃｃｅｓｓ  Ｍｏｂｉｌｉｔｙ  Ｓｕｐｐｏｒｔ）は、ソース・ネットワーク側での最終的なハンドオーバ決定に先行するプロセス（特定の移動局の特性は制限であることを考慮した移動局および基地局の測定の制御および評価）、ターゲット・ネットワーク側でのリソースの準備、移動局を新しい無線リソースへ導くこと、および最後に（古い）ソース・ネットワーク側のリソースの解放することなど、再配置／ハンドオーバ手順に必要なステップをすべて処理する。これには、進化したノード間で文脈データを転送し、ＣプレーンおよびＵプレーンでノード関係を更新する機構が含まれている。
【０００５】
ＷＯ００／６７５１２Ａ１は、移動局のハンドオーバ手順を実行するための方法を開示していて、この方法は、移動局に関連する位置情報および送受信基地局に関連する位置情報を処理するステップと、前述の処理の結果に基づいて、第１のハンドオーバ条件が満たされるかどうかを決定するステップとを含む。
【先行技術文献】
【特許文献】
【０００６】
【特許文献１】ＷＯ００／６７５１２Ａ１
【非特許文献】
【０００７】
【非特許文献１】３ＧＰＰ  ＴＳ３６．３００バージョン８．９．０リリース８
【発明の概要】
【課題を解決するための手段】
【０００８】
本発明は、移動局のワイヤレス多地点協調（ＣｏＭＰ）伝送ネットワークにおいて第１の基地局から第２の基地局へとハンドオーバ手順を実行するための方法を提供する。第１の基地局は、基地局の第１のグループを調整する。第１の基地局は、第１のグループのメンバである。第２の基地局は、基地局の第２のグループを調整する。第２の基地局は第２のグループのメンバである。ネットワーク・コンポーネントは、第１の基地局および基地局の第１のグループならびに／または第２の基地局および基地局の第２のグループにデータを伝送するように適応される。
【０００９】
言いかえると、移動局に伝送される目的のデータ・ストリームは、ネットワーク・コンポーネントから基地局の第１のグループに伝送され、次に移動局に転送される。第１の基地局から第２の基地局への移動局のハンドオーバが実行される場合、移動局に伝送されるデータは、基地局の第１のグループの第１のグループではなく、第２の基地局および基地局の第２のグループに向けられなければならない。同じことは、移動局から第１のグループの基地局に送信されるデータにも適用される。このデータは、例えば、他の移動局または他のネットワークへのゲートウェイなど、ネットワークの他のコンポーネントに送信される目的のものである。移動局から基地局の第１のグループに伝送されるデータは、最初に基地局の第１のグループからネットワーク・コンポーネントに伝送され、ネットワーク・コンポーネントは、次いで他のネットワーク手段にデータを転送する。
【００１０】
ネットワーク・コンポーネントから移動局への第１のデータ・ストリームおよび移動局からネットワーク・コンポーネントへの第２のデータ・ストリームの両方は、ハンドオーバ手順の際にリダイレクトする必要がある。したがって、移動局の場所が推定される。好ましくは、位置推定はチャネル品質情報に基づく。最も好ましくは、第１の基地局は第２の基地局からチャネル品質情報を要求済みであり、第１の基地局は第２の基地局からチャネル品質情報を受信済みである。移動局と基地局の第１のグループの各基地局との間のチャネルのチャネル品質情報は、移動局から第１の基地局に定期的に、または第１の基地局の要求に応じて伝送される。
【００１１】
位置推定の後に、第１の信号は第２の基地局に送信され、その第１の信号はハンドオーバ手順の要求を示している。好ましくは、第１の信号は、第１の基地局から第２の基地局に伝送される。
【００１２】
第２の信号は、好ましくは第２の基地局からネットワーク・コンポーネントに送信される。第２の信号は、ハンドオーバ手順の開始を示している。次に、ネットワーク・コンポーネントからのデータ・ストリームは第２の基地局および第２のグループに向けられる。次に、ネットワークへの移動局の接続は、第２の基地局によって制御され、第２のグループのすべての基地局は、多地点協調伝送方式に従って、移動局との間のデータの送受信のために使用される。
【００１３】
本発明の実施形態によると、位置推定はチャネル品質情報に基づいて実行され、チャネル品質情報は、移動局と第１のグループとの間の接続の情報および／または移動局と第２のグループとの間の接続の情報である。
【００１４】
本発明の実施形態によると、第４の信号は、位置推定の前に第２の基地局に送信される。第４の信号は、チャネル品質レポートの要求を示している。好ましくは、第４の信号は、第１基地局から第２の基地局に伝送される。チャネル品質レポートは、常に移動局と少なくとも１つの基地局との間の接続のチャネルの品質を含む。地点協調伝送ネットワーク（ｃｏｏｒｄｉｎａｔｅｄ  ｐｏｉｎｔ  ｔｒａｎｓｍｉｓｓｉｏｎ  ｎｅｔｗｏｒｋ）では、１つのチャネル品質レポートは、常に移動局と、第１のグループおよび第２のグループのうち１つの各基地局との間の接続のチャネル品質を含む。したがって、移動局から第１の基地局に伝送されるチャネル品質レポートは、移動局と第１のグループの各基地局との間の接続のチャネル品質を含む。移動局から第２の基地局に送信されるチャネル品質レポートは、第２のグループの各基地局に対する移動局の接続のチャネル品質を含む。
【００１５】
第１のグループおよび第２のグループの各基地局に対する移動局の接続のチャネル品質を知ることによって、移動局の位置を推定することができる。また、位置推定は、１つのグループの接続のチャネル品質のみに基づいて実現可能である。好ましくは、これは第１のグループである。あるいは、それは第２のグループだけのチャネル品質でもよい。
【００１６】
本発明の実施形態によると、第１のチャネル品質情報は、移動局から第１の基地局に伝送され、第２のチャネル品質情報は、第２の基地局から第１の基地局に伝送される。好ましくは、第２のチャネル品質情報は、移動局と基地局の第２のグループとの間の接続のチャネル品質に関する情報を含む。
【００１７】
本発明の実施形態によると、第１のチャネル品質情報は、移動局と第１の基地局との間の第１の接続品質に関する情報を含む。第２のチャネル品質情報は、基地局と第２の基地局との間の第２の接続品質に関する情報を含む。
【００１８】
本発明の実施形態によると、移動局と第２の基地局との間の接続の第２の接続品質が、第１のしきい値を上回るときに、ハンドオーバ手順が開始される。
【００１９】
本発明の実施形態によると、移動局と第１の基地局との間の接続の第１の接続品質が、第２のしきい値を下回るときに、ハンドオーバ手順が開始される。
【００２０】
本発明の実施形態によると、第１の基地局は、第２のグループのメンバでもあり、第２の基地局は第１のグループのメンバでもある。
【００２１】
本発明の実施形態によると、方法は、ネットワーク・コンポーネントから第１の基地局に第３の信号を送信し、ネットワーク・コンポーネントから第２の基地局に第４の信号を送信するステップをさらに含む。第３の信号および第４の信号は、ハンドオーバ手順の開始を示している。
【００２２】
他の態様では、本発明は、基地局によって実行されたときに、基地局に、本発明の実施形態による方法を実行させる命令を含むコンピュータ可読記憶媒体に関する。
【００２３】
さらに他の態様では、本発明は、移動局の位置を推定するための手段と、第１の信号を第２の基地局に送信するための手段と、第２の信号をネットワーク・コンポーネントに送信するための手段と、データを第２の基地局に伝送するための手段とを含む基地局装置に関する。
【００２４】
さらに他の態様では、本発明は、上記のような複数の基地局を含む通信システムに関する。
【００２５】
以下に、例示のみを目的として、図面を参照して、本発明の好ましい実施形態について記述する。
【図面の簡単な説明】
【００２６】
【図１】ネットワーク・コンポーネントと移動局との間のデータ・ストリームを示す概略図である。
【図２】ワイヤレス通信ネットワークを示す概略図である。
【図３】チャネル品質情報のセットを示す図である。
【図４】チャネル品質情報のセットを示す図である。
【図５】チャネル品質情報のセットを示す図である。
【図６】メッセージ伝達を示す図である。
【図７】ワイヤレスの通信ネットワークを示すブロック図である。
【発明を実施するための形態】
【００２７】
これら図において同様の番号が付けられた要素は同一の要素であるか、または同じ機能を実行する。機能が同一である場合、すでに説明した要素については、後の図では必ずしも説明しない。
【００２８】
図１は、複数の基地局１０４、移動局１００、ネットワーク・コンポーネント１０２、およびコア・ネットワーク１０６を示す概略図である。
【００２９】
多地点協調伝送方式によると、データは、移動局から複数の基地局１０４に、または基地局１０４から移動局１００に伝送することができる。次に、移動局１００から基地局１０４に伝送されるデータは、ネットワーク・コンポーネント１０２に転送され、次に、ネットワーク・コンポーネント１０２は、コア・ネットワーク１０６にデータを伝送する。逆方向では、基地局１０４から移動局１００に送信されるデータは、ネットワーク・コンポーネント１０２から得られる。ネットワーク・コンポーネント１０２は、コア・ネットワーク１０６からこのデータを受信済みである。
【００３０】
図２は、複数のセル１〜３７および移動局１００を含むワイヤレスの通信ネットワーク２００を示す概略図である。各セル１〜３７は、対応する基地局１〜３７（図示せず）によってサービスを提供される。
【００３１】
移動局１００は、最初にクラスタ２０２の位置Ａに位置する。クラスタ２０２は、ＣｏＭＰクラスタであり、セル１の基地局によって調整される。第２の時点では、移動局１００はセル２の位置Ｂに位置する。セル２は、また、ＣｏＭＰクラスタ２０２、およびＣｏＭＰクラスタ２０４にあり、これは、セル１、２、３、７、８、９、および１０を含み、セル２の基地局はクラスタ２０４を調整する。クラスタ２０２は、セル１、２、３、４、５、６、７から構成され、セル１の基地局はクラスタ２０２を調整する。
【００３２】
移動局１００が位置Ｂに位置するときにハンドオーバが開始される。その理由は、移動局１００が位置Ｂに位置するときに、クラスタ２０４の基地局への接続の接続品質は、クラスタ２０２の基地局への接続品質よりはるかによいためである。
【００３３】
図３は、図２の位置Ａにおける移動局１００のチャネル品質情報（ＣＱＩＳ）のセットを示す図である。ＣＱＩＳは、チャネル品質のインジケータである。ＣＱＩＳレポートは、移動局から、サービスを提供している基地局に定期的に送信される。ＣｏＭＰネットワークでは、ＣＱＩＳレポートは、モバイル基地局から、移動局が現在接続されているクラスタを調整する基地局に伝送される。
【００３４】
図３のＣＱＩＳレポートは、図２の移動局１００と、セル１、２、３、４、５、６、および７にサービスを提供している基地局との間で、チャネル品質に対応するチャネル状態を示している。位置Ａにおいて、移動局１００とセル１の基地局との間の接続のチャネル品質は、描かれている他のセルと比較して、最高のチャネル品質である。この理由は、移動局１００がセル１に位置し、クラスタ２０２の他のセルのそれぞれと距離が同じであるからである。
【００３５】
図４は、図２の位置Ｂにおける移動局１００のＣＱＩＳを示している。このＣＱＩＳレポートは、移動局から、セル１にサービスを提供する第１の基地局に定期的に報告される。移動局１００と、セル２にサービスを提供する基地局との間のチャネル品質は、他の基地局へのチャネル品質より良い。特に、移動局１００と、セル４、５、および６の基地局との間のチャネル品質は、移動局１００と、セル番号２にサービスを提供する基地局との間の接続のチャネル品質よりはるかに悪い。移動局１００と、セル１、３、および７の基地局との間の接続のチャネル品質は、他のチャネル品質の中間である。移動局１００と基地局番号１との間のチャネル品質は、移動局１００と基地局番号３および７との間のチャネル品質より少し悪い。
【００３６】
図５は、移動局から第２の基地局番号２に伝送されるＣＱＩＳレポートを示している。移動局１００と、セル番号２にサービスを提供する基地局との間のチャネル状態（チャネル品質に対応する）は、クラスタ２０４に属する他の基地局と比較して最良である。好ましくは、報告されたこのＣＱＩＳは、基地局番号２と移動局１００との間のチャネル品質が、基地局番号１と移動局１００との間のチャネル品質より良いとを決定した後に、セル番号１にサービスを提供する基地局によって要求される。
【００３７】
図４および図５の図式を知ることによって、基地局番号１は、基地局番号２へのハンドオーバを開始する。これは、移動局１００からコア・ネットワーク１０６、およびコア・ネットワーク１０６から移動局１００へのデータの流れは、基地局番号２によって調整されるクラスタ２０４に向けなければならないことを意味する。ハンドオーバ手順は、一般的なハンドオーバ手順によって実行することができる。
【００３８】
図６は、移動局１００と、基地局番号１と、基地局番号２と、ネットワーク・コンポーネント１０２との間のメッセージ伝達の詳細な図を示している。最初に、基地局番号１は移動局１００からＣＱＩＳレポート６００を受信する。ＣＱＩＳレポート６００は、移動局１００から基地局番号１に定期的に報告される。次に、基地局番号１は、第１の信号６０２を用いて基地局番号２にＣＱＩＳレポートを要求する。次に、第２の信号６０４を用いて、基地局番号２は、移動局１００からＣＱＩＳレポートを要求する。移動局１００は、基地局番号２に第２のＣＱＩＳレポート６０６を送信する。ＣＱＩＳレポート６０６は、移動局１００とクラスタ２０４の各基地局との間のチャネル状態を含み、クラスタ２０４は、基地局番号２によって調整される。次に、ＣＱＩＳレポート６０６は、ＣＱＩＳレポート承認信号６０８を用いて基地局番号２から基地局番号１に伝送される。
【００３９】
２つの受信したＣＱＩＳレポート６００および６０６は、ＣＱＩＳ比較６１０の間に基地局番号１において比較される。これは移動局１００の位置推定である。ＣＱＩＳ比較６１０の後に、基地局番号１から基地局番号２に伝送されるハンドオーバ要求メッセージ６１２を用いてハンドオーバ手順が開始される。ハンドオーバ手順は、ハンドオーバ指示信号６１４によって基地局番号２からネットワーク・コンポーネント１０６に示される。ハンドオーバ指示は、基地局番号１および基地局番号２に伝送される信号６１６および６１８を用いて承認される。その後、データの流れが切り替えられる６２０。データの流れは、データが以降コア・ネットワーク１０６から基地局の第１のグループに伝送されず、コア・ネットワーク１０６から基地局の第２のグループに伝送されるように切り替えられる。逆方向では、移動局１００からコア・ネットワーク１０６に伝送されるデータは、基地局の第１のグループではなく、基地局の第２のグループから受信される。基地局の第１のグループは、クラスタ２０２に属し、基地局の第２のグループは、クラスタ２０４に属する。
【００４０】
定期的に、ＣｏＭＰクラスタ２０２のマスタ基地局１は、このマスタ基地局によって管理されるすべての移動局１００のＣＱＩＳを検査する。この期間は、あらかじめ構成されている。異なる基地局２、３、４、５、６、および７のＣＱＩＳに基づいて、マスタ基地局１は、ＣＱＩＳおよび移動局のだいたいの位置から性能指数を計算する。
【００４１】
青いＣｏＭＰクラスタ２０２のマスタ基地局として機能する基地局１は、図３に示すようにＣＱＩＳを検査する。このＣＱＩＳに基づいて、基地局１は性能指数および移動局１００の位置推定を計算する。この位置推定の結果（図３）は、移動局が、恐らくセル１の中心に位置することを示している。その理由は、ＣＱＩ１は、他のすべて、および周囲のセルのＣＱＩより極めて良く、ＣＱｌ２〜７は、ほとんど同じであるからである。性能指数および位置推定は、現在、ハンドオーバは必要ないことを指し示している。
【００４２】
移動局がＡからＢへと位置を変えると、ＣＱＩＳ値は、図４に示すように変化する。これらのＣＱＩＳを検査することによって、基地局１は、移動局が位置を変更し、今は基地局２の通信可能領域に位置すると仮定する。その理由は、基地局２のＣＱＩは最良のチャネル条件であり、反対に位置する基地局４、５、および６のＣＱＩは非常に低いためである。基地局１は、今、隣接するクラスタ２０４のマスタである基地局２からレポート要求を開始する。図５に示すように、基地局２はそのクラスタからＣＱＩＳを収集し、レポート承認メッセージ（図６）を送信することにより基地局１にこの情報を報告する。基地局１は、クラスタ２０４の受信したＣＱＩＳに基づいて性能指数および位置の推定を生成する（図５）。クラスタ２０４のＣＱＩＳ（図５）は、極めてより良い性能指数を示し、位置推定は、移動局が現在、基地局２の通信可能領域に位置することを指し示している。基地局１は、移動局が基地局２からサービスを提供されるべきであると決定し、基地局２にハンドオーバ要求メッセージを送信する。
【００４３】
基地局２は、基地局１および基地局２の両方にサービスを提供するネットワーク・コンポーネント１０２にハンドオーバ指示メッセージを送信する。バックホール・ノード（ｂａｃｋｈａｕｌ  ｎｏｄｅ）は、フロー切り替えを実行しなければならないデータ・パケット番号を突き止めて、基地局１および基地局２の両方にパケット番号を含むハンドオーバ指示メッセージを送信する。パケット番号は、基地局１によって制御されるＣｏＭＰクラスタ２０２に送信しなければならない最後のパケットを定義する。パケット番号ｎ＋１は、基地局２によって制御されるＣｏＭＰクラスタ２０４に送信しなければならない第１のパケットを定義する。
【００４４】
図７は、第１の基地局７０２、複数の基地局１０４、および複数の移動局１００を含むワイヤレス通信ネットワーク７００のブロック図である。基地局１０４は、第１の基地局７０２によって調整されるクラスタを形成する。移動局１００は、この多地点協調クラスタに接続される。第１の基地局７０２は、移動局１００との間で信号を送受信するための手段７０４を含む。また、データは手段７０４を通じて伝送および受信することができる。手段７０４は、第１の基地局７０２と移動局１００との間の通信のための通信手段としてサービスを提供する。
【００４５】
さらに、基地局７０２は、移動局１００の位置推定のための手段７１６を含む。手段７１８を用いて、基地局７０２は、ネットワーク・コンポーネント１０２との間で信号を伝送および受信することができる。
【００４６】
好ましくは、プロセッサ７１０は、ストレージ７１２のプログラム７１４を実行し、プログラムは、上記の方法をプロセッサに実行させる。
【符号の説明】
【００４７】
１００  移動局
１０２  ネットワーク・コンポーネント
１０４  基地局
１０６  コア・ネットワーク
２００  ワイヤレス通信ネットワーク
２０２  ＣｏＭＰクラスタ
２０４  ＣｏＭＰクラスタ
６００  ＣＱＩＳレポート
６０２  信号
６０４  信号
６０６  ＣＱＩＳレポート
６０８  ＣＱＩＳレポート承認
６１０  ＣＱＩＳ比較
６１２  ハンドオーバ要求
６１４  ハンドオーバ指示
６１６  ハンドオーバ指示承認
６１８  ハンドオーバ指示承認
６２０  フロー切り替え
７００  ワイヤレス通信ネットワーク
７０２  基地局
７０４  通信手段
７１０  プロセッサ
７１２  データ・ストレージ
７１４  プログラム
７１６  位置推定手段
７１８  通信手段
【図１】
2013514693.tif 000003
【図２】
2013514693.tif 000004
【図３】
2013514693.tif 000005
【図４】
2013514693.tif 000006
【図５】
2013514693.tif 000007
【図６】
2013514693.tif 000008
【図７】
2013514693.tif 000009
【国際調査報告】
2013514693.tif 000010
2013514693.tif 000011
2013514693.tif 000012